(57)【要約】【課題】画像データの処理に係る複数のジョブの情報が画面に表示されると共に、ジョブの情報に含まれているグループに分けられた複数の要素が複数の画面に跨って表示される場合に、該ジョブの情報を確認する際の操作性と認識性を向上することができる画像処理装置を提供する。【解決手段】画像データの処理に係る複数のジョブの設定を履歴画面５０（５０ａ、５０ｂ）のジョブ毎に割り当てられた表示領域５３ａ〜５３ｅに表示するに当たり、最初の履歴画面５０ａの表示領域にジョブの設定に含まれている複数のモード（モードＡ〜モードＪ）が全て表示できるか否かを判断する。表示しきれない場合は、次の履歴画面５０ｂに、最初の履歴画面５０ａに表示しきれないモード（モードＩおよびモードＪ）と同一グループに属する全てのモード（モードＧ〜モードＪ）を表示する。【選択図】図４
2010166336.tif 000002
【特許請求の範囲】
【請求項１】
画像データの処理に係るジョブの情報に含まれているグループに分けられた複数の要素を複数のジョブについて画面のジョブ毎に割り当てられた表示領域に表示する画像処理装置であって、
前記画面が表示される表示部と、
前記表示部に表示される前記画面の遷移操作を受け付ける操作部と、
制御部とを備え、
前記制御部は、前記表示部に表示する第１画面の前記表示領域に前記複数の要素が全て表示可能であるか否かを判断し、表示不可となるジョブについては、前記遷移操作を受け付けて前記第１画面から遷移する第２画面に、前記第１画面の前記表示領域に表示できない要素と同一グループに属する全ての要素を表示する制御を行う
ことを特徴とする画像処理装置。
【請求項２】
前記制御部は更に、前記表示不可となるジョブについて、前記第１画面の前記表示領域に、前記第２画面に表示する前記同一グループに属する一部の要素を重複して表示する制御を行う
ことを特徴とする請求項１に記載の画像処理装置。
【請求項３】
前記制御部は更に、前記第１画面に表示する前記複数のジョブのうち前記表示不可となるジョブ以外のジョブに係る前記複数の要素の中から前記同一グループに属する要素を抽出して前記第２画面に表示する制御を行う
ことを特徴とする請求項１または２に記載の画像処理装置。
【請求項４】
前記情報は、前記ジョブの履歴に係る履歴情報を含み、
前記画面は、前記ジョブの履歴が表示される履歴画面を含む
ことを特徴とする請求項１乃至３のいずれか１つに記載の画像処理装置。
【発明の詳細な説明】
【技術分野】
【０００１】
本発明は、画像データの処理に係るジョブを実行する画像処理装置に係り、特に、ジョブの情報を画面に表示する画像処理装置に関する。
【背景技術】
【０００２】
コピー、プリント、ファクシミリなど画像データの処理に係るジョブを実行する画像処理装置においては、ジョブに係る各種の情報を画面に表示してユーザが確認できるようにしているものがある。このような画面としては、実行前ジョブの設定確認画面や実行済みジョブの履歴画面、あるいは、画像データの送信ジョブや受信ジョブの履歴が表示される送受信履歴画面などが挙げられる。
【０００３】
たとえば、特許文献１には、実行前（設定中）のジョブにおける複数のモード（原稿画質、カラーモード、倍率など）を設定確認画面に表示することでその設定を確認できる技術が開示されている。また、表示対象となるモードの数が多いためにその全てを１つの画面内に表示しきれない場合には、画面を遷移して（複数の画面に跨って）表示することが一般に行われている。特許文献１における設定確認画面にはスクロールボタンが表示されており、このような画面の遷移に対応した構成であることが読み取れる。
【０００４】
特許文献２には、実行済みのジョブにおける複数のモード（倍率、濃度、片面／両面など）をジョブの履歴画面に表示することでその設定を確認できる技術が開示されている。また、履歴画面の場合は複数の実行済みジョブを実行順などに並べて一覧表示することが一般に行われている。特許文献２における履歴画面もそのような一覧形式の表示がなされており、各ジョブの設定（複数のモード）はジョブ毎に割り当てられた表示領域に表示されている。
【０００５】
送受信履歴画面も同様に、送信ジョブや受信ジョブを実行順などに並べて一覧表示すると共に、各ジョブの情報（送信先／送信元、開始時刻、実行時間、実行結果など）をジョブ毎に割り当てられた表示領域に表示することが一般に行われている。
【０００６】
上記の履歴画面や送受信履歴画面などのように、１つの画面内に複数のジョブの情報を表示する場合には、１つのジョブに割り当てられる表示領域の大きさ（面積）が小さくなるため、その表示領域内に全ての要素（モード）を表示しきれなくなることが起こりやすい。そのため、設定確認画面と同様に画面の遷移による（複数の画面に跨った）表示が行われる場合がある。
【０００７】
図１１にジョブの履歴画面２００（２００ａ、２００ｂ）における遷移例を示す。履歴画面２００は、画面内に設けられたジョブ履歴表２０１の上から下へ実行日時の新しいジョブから順番に各ジョブの設定（設定内容）が配列されて表示される。ジョブ履歴表２０１は、ジョブ毎に横長矩形状の表示領域（２０１ａ、２０１ｂ、２０１ｃ、２０１ｄ、２０１ｅ）が割り当てられており、この表示領域にジョブの設定が表示される。具体的には、ジョブの設定を示す複数のモードが表示領域内に左詰めで横一列に並べられて表示される。モードの種類は、図中では「Ａ」〜「Ｐ」で簡略的に示している。
【０００８】
この履歴画面において、モードの数が多いために全てのモードを表示領域内に表示できないジョブについては、表示不可となったモードは最初の履歴画面２００ａから遷移した次の履歴画面２００ｂに表示される。たとえば、１番目のジョブ２０２はモードＡ〜モードＪが表示対象であるが、履歴画面２００ａ（ジョブ履歴表２０１）における表示領域２０１ａにはモードＡ〜モードＨまでしか表示することができない。このような場合には、残りのモードＩおよびモードＪは次の履歴画面２００ｂにおける１番目のジョブの表示領域２０１ａに表示される。
【先行技術文献】
【特許文献】
【０００９】
【特許文献１】特開２００５−３１５００号公報
【特許文献２】特開平１０−２７１２４８号公報
【発明の概要】
【発明が解決しようとする課題】
【００１０】
上述したように、ジョブの設定確認画面や履歴画面には、実行前や実行済みのジョブの設定を示す複数のモードが表示される。このモードは、所定のグループに分けられる場合がある。たとえば、原稿をスキャナ部で読み取ってその画像データを外部端末へ送信するジョブにおいては、ジョブが扱う原稿の属性（サイズ、モノクロ／カラー、画質、解像度、片面／両面）などを示すモードが属するグループ（原稿設定グループ）と、ホスト名、ユーザ名、パスワードなどの送信宛先に関する情報を示すモードが属するグループ（宛先設定グループ）などのように、複数のグループに分類されることがある。
【００１１】
このような場合に、同一グループのモードは関連性を有しているので、同一画面上に表示されて一度に確認できることが望ましい。同一グループのモードが複数の画面に跨って表示されると、画面を遷移させて確認しなければならなくなるため、操作が煩雑になると共にその関連性のあるモードによる設定内容が認識しにくくなるからである。
【００１２】
たとえば、図１１で説明した１番目のジョブ２０２において、モードＧ〜モードＪが同一グループである場合には、図に示すようにこれらのモードが２つの画面に跨って表示されると、そのグループのモードによる設定内容を確認するために画面を遷移しなければならなくなる。そのため、操作が煩雑になると共に、そのグループのモード（関連性のあるモード）による設定内容が認識しにくくなってしまう問題がある。
【００１３】
また、送受信履歴画面は、送信ジョブや受信ジョブの情報として、（１）送信先または送信元の名称、（２）電話番号または電子メールアドレス、（３）ジョブの開始時刻、（４）ジョブの実行時間、（５）実行結果（正常／異常）などの複数のモードが表示される。この場合は、たとえば、（１）および（２）のグループと、（３）〜（５）のグループとに分けるなどが可能である。同報送信ジョブにおいて、同報送信を行った複数の送信先情報（名称や電子メールアドレス）が表示される場合には、その複数の送信先情報を一つのグループとすることも可能である。
【００１４】
この送受信履歴画面においても、１つの画面内のジョブ毎に割り当てられた表示領域に全ての要素（モード）を表示できないため、画面の遷移による（複数の画面に跨った）表示が行われる場合に、やはり操作性や認識性の理由から、同一グループの要素は同一画面上に表示して一度に確認できることが望ましい。
【００１５】
本発明は、上記の問題を解決しようとするものであり、画像データの処理に係る複数のジョブの情報が画面に表示されると共に、ジョブの情報に含まれているグループに分けられた複数の要素が複数の画面に跨って表示される場合に、該ジョブの情報を確認する際の操作性と認識性を向上することができる画像処理装置を提供することを目的としている。
【課題を解決するための手段】
【００１６】
かかる目的を達成するための本発明の要旨とするところは、次の各項の発明に存する。
【００１７】
［１］画像データの処理に係るジョブの情報に含まれているグループに分けられた複数の要素を複数のジョブについて画面のジョブ毎に割り当てられた表示領域に表示する画像処理装置であって、
前記画面が表示される表示部と、
前記表示部に表示される前記画面の遷移操作を受け付ける操作部と、
制御部とを備え、
前記制御部は、前記表示部に表示する第１画面の前記表示領域に前記複数の要素が全て表示可能であるか否かを判断し、表示不可となるジョブについては、前記遷移操作を受け付けて前記第１画面から遷移する第２画面に、前記第１画面の前記表示領域に表示できない要素と同一グループに属する全ての要素を表示する制御を行う
ことを特徴とする画像処理装置。
【００１８】
上記発明では、画像データの処理に係る複数のジョブの情報を画面のジョブ毎に割り当てられた表示領域に表示するに当たり、第１画面の表示領域にジョブの情報に含まれている複数の要素が全て表示できるか否かを判断する。表示しきれない場合は、第１画面から遷移した第２画面に、第１画面に表示しきれない要素と同一グループに属する全ての要素を表示する。
【００１９】
第２画面ではそれらの要素が一度に確認できるようになるため、ユーザはそれらの要素による一連の情報を確認する際に画面を遷移する操作が不要となり、同一画面上に表示されたそれらの要素から一連の情報を容易に認識できるようになる。これにより、ジョブの情報を確認する際の操作性や認識性が向上する。
【００２０】
［２］前記制御部は更に、前記表示不可となるジョブについて、前記第１画面の前記表示領域に、前記第２画面に表示する前記同一グループに属する一部の要素を重複して表示する制御を行う
ことを特徴とする［１］に記載の画像処理装置。
【００２１】
上記発明では、第１画面の表示領域により多くの要素を表示することで、第１画面の表示領域を有効利用できる。
【００２２】
［３］前記制御部は更に、前記第１画面に表示する前記複数のジョブのうち前記表示不可となるジョブ以外のジョブに係る前記複数の要素の中から前記同一グループに属する要素を抽出して前記第２画面に表示する制御を行う
ことを特徴とする［１］または［２］に記載の画像処理装置。
【００２３】
上記発明では、第２画面には、複数の要素の一部を第１画面に表示しきれなかったジョブについては、その一部が属するグループ（「遷移表示グループ」とする）の全ての要素が表示されると共に、第１画面に複数の要素を全て表示できた他のジョブについても、その遷移表示グループに属する全ての要素が表示される。これにより、遷移表示グループの要素については他のジョブのものも第２画面で確認できるようになるため、遷移表示グループの要素をジョブ間で比較するような場合にも画面を遷移する必要がなく、操作性や認識性が向上する。
【００２４】
［４］前記情報は、前記ジョブの履歴に係る履歴情報を含み、
前記画面は、前記ジョブの履歴が表示される履歴画面を含む
ことを特徴とする［１］乃至［３］のいずれか１つに記載の画像処理装置。
【００２５】
上記発明では、ジョブの履歴画面に表示される履歴情報を確認する際の操作性や認識性が向上する。
【発明の効果】
【００２６】
本発明の画像処理装置によれば、複数のジョブの情報が同時に第１画面に表示されると共に、第１画面に表示しきれずに第１画面と第２画面に跨って情報が表示されるジョブがあるときは、第１画面に表示できなかった要素が属しているグループの全要素を第２画面にまとめて表示する。これにより、第２画面のみで該グループの全要素を確認することができ、ジョブの情報を確認する際の操作性と認識性を向上することができる。したがって、ジョブの情報を確認する際のユーザの利便性が向上する。
【図面の簡単な説明】
【００２７】
【図１】本発明の第１の実施の形態に係る画像処理装置としての複合機の構成を示すブロック図である。
【図２】本発明の第１の実施の形態に係る複合機で設定された各種のジョブにおけるモードおよびグループの種類の一例を示す図である。
【図３】図２に示したジョブの履歴を表示するための各種データが記憶されたジョブ履歴テーブルの構成例を示す図である。
【図４】図２に示したジョブの履歴が表示された履歴画面を示す図である。
【図５】本発明の第１の実施の形態に係る複合機で複数の宛先が設定されたScan to ＳＭＢジョブにおけるモードおよびグループの種類の一例を示す図である。
【図６】図５に示したジョブの履歴が表示された履歴画面を示す図である。
【図７】本発明の第１の実施の形態に係る複合機が行う履歴画面の表示動作を示す流れ図である。
【図８】本発明の第２の実施の形態に係る履歴画面を示す図である。
【図９】本発明の第３の実施の形態に係る履歴画面を示す図である。
【図１０】本発明の第４の実施の形態に係る履歴画面を示す図である。
【図１１】従来の履歴画面を示す図である。
【発明を実施するための形態】
【００２８】
以下、図面に基づき本発明の実施の形態を説明する。
【００２９】
[第１の実施の形態]
図１は、本発明の第１の実施の形態に係る画像処理装置としての機能を備えた複合機（ＭＦＰ；Multi Function Peripheral/Multi Function Printer）１０の構成を示している。
【００３０】
複合機１０は、原稿を光学的に読み取って画像データを取得し、その画像データを保存したり外部端末などへ送信したりするスキャン機能、原稿を読み取り、かつその読み取りで得た画像データに基づいて原稿の複製画像を記録紙に印刷して出力するコピー機能、外部端末から受信した印刷データをラスタライズして得た画像を記録紙に印刷して出力するプリンタ機能、ファクシミリ機能、電子メール機能（メール送受信機能）などを備えている。
【００３１】
スキャン機能は、原稿を読み取って得た画像データを外部端末に転送して保存するScan to ＳＭＢ（Server Message Block）機能、該画像データをＦＴＰ（File Transfer Protocol）サーバに転送して保存するScan to ＦＴＰ機能、該画像データを電子メールに添付して送信するScan to E-mail機能などを含んでいる。ファクシミリ機能は、原稿を読み取って得た画像データを公衆回線を通じてファクシミリ送受信するほかに、電子メールに添付してインターネットを通じて送受信するインターネットファクシミリ機能などを含んでいる。
【００３２】
また、複合機１０は、画像データの処理に係るジョブの設定を受け付けたり、ジョブの情報を画面に表示したりする機能を備えている。画像データの処理に係るジョブは、スキャンジョブ（Scan to ＊＊＊ジョブ）、コピージョブ、プリントジョブ、ファクシミリジョブなどである。ジョブの情報が表示される画面は、実行前（設定中）のジョブの設定が表示される設定確認画面、実行済みのジョブの設定が表示される履歴画面、画像データの送信ジョブや受信ジョブの履歴が表示される送受信履歴画面などである。これらの画面では、情報量が多いために１つの画面内に全ての情報を表示しきれない場合は、画面の遷移による表示が行われるようになっている。
【００３３】
複合機１０は、当該複合機１０の動作を統括制御する制御部としてのＣＰＵ（Central Processing Unit）１１に、バス１２を介してＲＯＭ（Read Only Memory）１３と、ＲＡＭ（Random Access Memory）１４と、不揮発メモリ１５と、操作表示部１６と、認証部１７と、ファクシミリ通信部１８と、ネットワーク通信部１９と、スキャナ部２０と、画像処理部２１と、プリンタ部２２とを接続して構成される。
【００３４】
ＣＰＵ１１は、ＲＯＭ１３に格納されているプログラムに基づいて複合機１０の動作を制御する。ＲＡＭ１４はＣＰＵ１１がプログラムを実行する際に各種データを一時的に格納するワークメモリとして使用されるほか、画像データを一時的に保存するための画像メモリなどにも使用される。不揮発メモリ１５は、電源がオフされても記憶が保持されるメモリであり、装置固有の情報や各種の設定情報、ユーザの認証情報、操作表示部１６に表示する各種画面の表示用データ、ジョブ履歴テーブル３０などが記憶される。
【００３５】
操作表示部１６は、操作画面、案内画面、設定画面、設定確認画面、履歴画面、送受信履歴画面などの各種の画面を表示する表示部としての機能と、ユーザから各種の操作を受ける操作部としての機能とを果たす。ここでは、操作表示部１６は表示機能を担う液晶ディスプレイ（Liquid Crystal Display；ＬＣＤ）と、該液晶ディスプレイの表面に形成され押下された座標位置を検出するタッチパネルや、テンキー、スタートボタン、各種操作スイッチなどで構成される。
【００３６】
認証部１７は、認証用のデータを取得し予め登録された認証情報に基づいてユーザを認証する機能を果たす。このユーザ認証には、たとえば、ＩＣ（Integrated Circuit）カードやＩＤ（Identification）カードなどに記憶されている認証用のデータを読み取って予め登録されている認証情報と照合し本人認証を行うカード認証技術、あるいは、指紋や指静脈などの生体情報を認証用のデータとして読み取って予め登録されている認証情報と照合し本人認証を行う生体認証技術などの汎用の各種の認証技術が単独もしくは組み合わせて用いられる。
【００３７】
ファクシミリ通信部１８は、ファクシミリ機能を備えた外部装置と公衆回線を通じて通信する機能を果たす。ネットワーク通信部１９は、パーソナルコンピュータなどの端末やサーバなどとＬＡＮ（Local Area Network）などのネットワークを通じて通信する機能を果たす。ネットワーク通信部１９による通信には、スキャン機能（Scan to ＸＸＸ機能）による画像データの転送やインターネットファクシミリ機能による電子メールの送受信などが含まれる。
【００３８】
スキャナ部２０は、原稿を光学的に読み取って画像データを取得する機能を果たす。スキャナ部２０は、たとえば、原稿に光を照射する光源と、原稿からの反射光を受光して原稿を幅方向に１ライン分読み取るイメージセンサと、イメージセンサによるライン単位の読み取り位置を原稿の長さ方向に移動させるスキャン機構と、原稿からの反射光をイメージセンサに導いて結像させるレンズやミラーからなる光学経路などで構成される。画像処理部２１は画像データに対して、画像補正、回転、拡大／縮小、圧縮／伸張など各種の画像処理を施す機能を果たす。
【００３９】
プリンタ部２２は、入力された画像データに対応する画像を用紙に印刷して出力する機能を果たす。たとえば、用紙の搬送装置と、感光体ドラムと、帯電装置と、レーザーユニットと、現像装置と、転写分離装置と、クリーニング装置と、定着装置などを備え、電子写真プロセスによって用紙上に画像を形成するレーザープリンタなどとして構成される。
【００４０】
ＣＰＵ１１はプログラムを実行することで、不揮発メモリ１５から画面表示用データを読み出して操作表示部１６に各種の画面を表示する機能と、操作表示部１６に表示した設定画面によりジョブの設定を受け付ける機能と、設定確認画面に設定中のジョブの設定を表示する機能と、設定を受け付けたジョブに対する実行操作（確定操作）を受け付けると該ジョブを生成して実行する機能と、実行済みのジョブの設定を示すデータをジョブ履歴テーブル３０に記憶する機能と、ジョブ履歴テーブル３０に記憶されているデータ（テーブル情報）を読み出して履歴画面に実行済みのジョブの設定を履歴情報として表示する機能とを果たす。
【００４１】
設定画面は、スキャンジョブ用設定画面、コピージョブ用設定画面、ファクシミリジョブ用設定画面など、複数種類の画面がジョブの種類毎に用意されており、ユーザによる選択操作を受けてその選択された画面に切り替えられる。設定画面には、ジョブの種類に応じて予め用意された複数種類のモード設定ボタンや設定情報入力部などが表示される。設定画面によるジョブの設定は、画面に表示されたモード設定ボタンによる選択・設定操作や設定情報入力部を通じた設定情報の入力操作をユーザから受けることで行われる。ユーザによって入力される設定情報には、Scan to ＳＭＢジョブやScan to E-mailジョブにおける宛先情報などが含まれる。
【００４２】
「モード」とは、ジョブの処理内容を規定する個々の処理条件（設定値、パラメータ値など）を意味する。１つのジョブの処理内容は多数のモードによって決定付けされる。たとえば、上述したScan to ＳＭＢジョブであれば、当該ジョブの種類を示すモード、原稿のサイズを示すモード、解像度を示すモード、宛先を示すモード（宛先情報）などのモードの組み合わせにより、ジョブの内容（設定内容）が規定される。また、モードは予め所定のグループに分けられている（図２参照）。
【００４３】
設定確認画面は、ユーザによる該画面の表示操作を受けて表示される。設定確認画面には、設定画面で設定を受け付けた設定中のジョブにおける複数のモードが設定内容として表示される。
【００４４】
履歴画面は、ユーザによる該画面の表示操作を受けて表示される。履歴画面には、実行済みジョブの履歴情報が表示される（図４参照）。詳細には、ユーザにより設定されて複合機１０が実行したジョブの処理内容を規定した各モードがそのジョブの履歴情報として表示される。ここでは、ユーザの設定したモードは保存および表示される必須の履歴情報になっている。表示されるモードの数は、ジョブの設定内容に応じて変化し、ジョブ毎に異なる。
【００４５】
図２は、各種のジョブにおけるモードおよびグループの種類の一例を示している。詳細には、Scan to ＳＭＢジョブ（JOB No.1）、Scan to E-mailジョブ（JOB No.2）、コピージョブ（JOB No.3/ JOB No.4）における複数のモードと、そのモードが所属するグループの一例である。
【００４６】
Scan to ＳＭＢジョブおよびScan to E-mailジョブの処理内容を規定するモードは、送信種別グループ、原稿設定グループ、宛先設定グループなどに分類されている。
【００４７】
送信種別グループは、送信の種別を示すモードが属するグループである。原稿設定グループは、ジョブが扱う原稿の属性（サイズ、種類、モノクロ／カラー、画質、解像度、片面／両面）などを示すモードが属するグループである。宛先設定グループは、送信宛先に関する情報を示すモードが属するグループである。たとえば、Scan to ＳＭＢジョブでは、宛先設定グループに属するモードとして、ホスト名を示すモード、ユーザ名を示すモード、パスワードを示すモード、ユーザの所属するグループ（所属部署など）を示すモードなどがある。Scan to E-mailジョブでは、電子メールアドレスが宛先設定グループに属するモードとされている。
【００４８】
Scan to ＳＭＢジョブおよびScan to E-mailジョブは、複数の宛先を設定することも可能である。ユーザによって複数の宛先（宛先情報）が入力された場合は、それぞれの宛先情報（ホスト名、ユーザ名など）が宛先設定グループに属するモードとして設定される。
【００４９】
コピージョブの処理内容を規定するモードは、基本設定グループ、原稿設定グループなどに分類されている。基本設定グループは、コピーの基本的な処理条件を規定するモードが属するグループである。たとえば、コピー部数を示すモードなどが属している。
【００５０】
なお、図２では各種のモードを「モードＡ」〜「モードＰ」に対応させて示している。
【００５１】
図３は、ジョブ履歴テーブル３０の構成例を示している。ジョブ履歴テーブル３０は、ユーザにより設定されて複合機１０が実行したジョブの履歴を表示するための各種のデータが記憶されるテーブルである。ジョブ履歴テーブル３０には、実行日時データ３１と、設定（設定内容）に係る複数のモードデータ３２と、ユーザ名データ３４とが対応付けられてジョブ単位で記憶される。
【００５２】
実行日時データ３１は、ジョブの実行時にＣＰＵ１１が図示しない時計部から取得した日時データ（年／月／日／時／分）である。モードデータ３２は、ジョブの処理内容を規定するモードのうち、ジョブ投入時にユーザによって設定されたモード（処理条件）を示すデータである。
【００５３】
ジョブ履歴テーブル３０には、個々のモードデータ３２に対応付けて、そのモードデータ３２の示すモードが属するグループの識別情報（グループコード３３）が登録されている。たとえば、全てのモードについて、モードとそのモードが属するグループのグループコード３３とを対応付けて登録した関係テーブルを予め作成して不揮発メモリ１５に記憶しておき、ＣＰＵ１１がモードデータ３２をジョブ履歴テーブル３０に登録する際に、この関係テーブルを参照してそのモードデータ３２に対応するグループコード３３を取得するなどの構成を採ることができる。
【００５４】
本例のジョブ履歴テーブル３０では、図２に例示した「モードＡ」〜「モードＰ」に対応するモードデータ３２を、「モード」の文字を省略した「Ａ」〜「Ｐ」で示している。グループコード３３は、基本設定グループを「Ｇｐ１」、送信種別グループを「Ｇｐ２」、原稿設定グループを「Ｇｐ３」、宛先設定グループを「Ｇｐ４」として示している。
【００５５】
ユーザ名データ３４は、認証部１７によりユーザ認証を行ってジョブを設定したユーザの名称を示すデータ（ユーザ識別情報）であり、たとえば、ユーザの認証情報に対応付けて登録されているユーザ名などである。ユーザ認証を行ったユーザは、以下では「認証ユーザ」と呼ぶ場合がある。
【００５６】
次に、複合機１０による履歴画面の表示動作を説明する。
【００５７】
図４は、複合機１０の操作表示部１６に表示された履歴画面５０（５０ａ、５０ｂ）の一例を示している。この履歴画面５０は、図３に示したジョブ履歴テーブル３０に記憶されているデータを用いて表示されたものである。
【００５８】
履歴画面５０は、画面の上部中央に画面名称５１が表示される。たとえば、認証ユーザがＸ氏の場合には、画面名称５１は図示のように「Ｘさんの実行ジョブ履歴表」などとして表示される。画面の右下部には、操作表示部１６に表示される画面を当該履歴画面から通常画面（デフォルト画面）に戻す操作を受け付ける戻るボタン５２が表示される。画面の中央部には、ジョブ履歴表５３が表示される。
【００５９】
ジョブ履歴表５３は、上から下へ実行日時の新しいジョブから順番に実行済みジョブの設定（設定内容）が配列されて表示される。本例のジョブ履歴表５３は、最大で５つのジョブまで表示可能であり（Ｎｏ.1〜Ｎｏ.5）、ジョブの履歴（設定）を一覧表示するためにジョブ毎に割り当てられた５つの表示領域５３ａ、５３ｂ、５３ｃ、５３ｄ、５３ｅを備えている。この表示領域５３ａ〜５３ｅは、ジョブ履歴表５３の全領域（表領域）を高さ方向にジョブの最大表示可能数で等分（本例では５等分）した横長矩形状の領域である。
【００６０】
ＣＰＵ１１は、ジョブ履歴テーブル３０（図３参照）に記憶されている実行日時データ３１に基づいて、ジョブ履歴表５３の表示領域５３ａ〜５３ｅに表示するジョブの順番を決定する。この順番で各ジョブの複数のモードデータ３２をジョブ履歴テーブル３０から読み出し、そのモードデータ３２を用いて、対応する表示領域５３ａ〜５３ｅにジョブの設定を示す複数のモードを表示する。また、複数のモードは表示領域内に左詰めで横一列に並べて表示する。モードの並び順は、所定の規則（優先順位）に基づいて決定する。本例の場合は、優先順位の高いグループから順番にグループ毎に並べ、かつ、同一グループ内では優先順位の高いモードから順番に並べるようにしている。
【００６１】
グループの優先順位は、コピージョブでは基本設定グループを１番とし、原稿設定グループを２番としている。Scan to ＳＭＢジョブおよびScan to E-mailジョブでは送信種別グループを１番とし、原稿設定グループを２番とし、宛先設定グループを３番としている。Scan
to ＳＭＢジョブの宛先設定グループでは、１つの宛先に係る４つのモードの優先順位は、ホスト名を１番とし、ユーザ名を２番とし、パスワードを３番とし、グループ（ユーザの所属先など）を４番としている。
【００６２】
なお、本例では各モードデータ３２を予め上記の規則（優先順位）に並べてジョブ履歴テーブル３０に記憶しており、ジョブ履歴テーブル３０から各モードデータ３２を読み出した順番にモードを並べて表示するようにしている。
【００６３】
このような表示を行った場合に、モードの数が多いジョブは全てのモードを表示領域に表示できないことが起こり得る。本例では、１番目（Ｎｏ.1）に表示されているScan to ＳＭＢジョブ５５が該当している。
【００６４】
Scan to ＳＭＢジョブ５５は、モードＡ〜モードＪが上記の優先順位に基づいて並べられる。詳細には、送信種別グループＧＰ２のモードＡ、原稿設定グループＧＰ３のモードＢ、モードＣ、モードＤ、モードＥ、モードＦ、宛先設定グループＧＰ４のモードＧ、モードＨ、モードＩ、モードＪの順に並べられる。このモードＡ〜モードＪでは、配列方向の長さＬ１が表示領域５３ａの横方向の長さＳ１よりも長くなり、全モードの表示は不可となる。
【００６５】
ここでは、表示領域５３ａにはモードＡ〜モードＨまでが表示可能となり、ＣＰＵ１１はそのモードＡ〜モードＨを表示領域５３ａに表示する。モードＧ〜モードＪは、宛先設定グループＧＰ４（同一グループ）に属しているが、途中のモードＨまでが表示されてそれ以降が表示されない状態となる。
【００６６】
このようなオーバーフローが発生した場合に、ＣＰＵ１１は、履歴画面５０（５０ａ）の右上部に次画面への遷移操作を受け付ける右矢印ボタン５６ａを表示すると共に、最初の履歴画面（５０ａ）に途中までしか表示できないグループのモードを次の履歴画面（５０ｂ）に表示するように動作する。なお、この画面遷移によって表示が行われるグループを「遷移表示グループ」と呼ぶ。右矢印ボタン５６ａが押下されると、ＣＰＵ１１は、履歴画面５０ａに続く履歴画面５０ｂを操作表示部１６に表示する。
【００６７】
そして、遷移表示グループに属しているモード、本例の場合は遷移表示グループが宛先設定グループＧＰ４なのでそのグループに属しているモードＧ〜モードＪをジョブ履歴テーブル３０に記憶されているグループコード３３（図３の「Ｇｐ４」）に基づいて特定し、その全モードを履歴画面５０ｂのジョブ履歴表５３における表示領域５３ａに表示する。すなわち、履歴画面５０ａの表示領域５３ａに表示できないモード（本例ではモードＩおよびモードＪ）と同一グループに属する全てのモード（本例ではモードＧ〜モードＪ）を履歴画面５０ｂに表示する。
【００６８】
またＣＰＵ１１は、履歴画面５０ｂの右上部に前画面への遷移操作を受け付ける左矢印ボタン５６ｂを表示する。左矢印ボタン５６ｂが押下されると、ＣＰＵ１１は、元の履歴画面５０ａを操作表示部１６に表示する。
【００６９】
図５は、Scan to ＳＭＢジョブ（JOB No.1）において、複数の宛先が設定された場合の一例を示している。本例では、３つの宛先が設定されており、１番目の宛先はモードＧ１、モードＨ１、モードＩ１、モードＪ１によって構成され、２番目の宛先はモードＧ２、モードＨ２、モードＩ２、モードＪ２によって構成され、３番目の宛先はモードＧ３、モードＨ３、モードＩ３、モードＪ３によって構成されている。この３つの宛先における全モード（モードＧ１〜モードＪ３）が宛先設定グループに属している。宛先以外のモード（モードＡ〜モードＦ）は、図２に示したScan
to ＳＭＢジョブ（JOB No.1）と同じである。
【００７０】
このScan to ＳＭＢジョブでは、図示は省略するが、３つの宛先に係るモードＧ１〜モードＪ３を示す各モードデータ３２（Ｇ１〜Ｊ３）は、宛先設定グループを示すグループコード３３（Ｇｐ４）と対応付けられてジョブ履歴テーブル３０に記憶される。
【００７１】
図６は、図５に示したScan to ＳＭＢジョブ６１が履歴画面６０（６０ａ、６０ｂ、６０ｃ）に表示された状態を示している。
【００７２】
Scan to ＳＭＢジョブ６１は、モードＡ〜モードＪ３が上述した優先順位に基づいて、送信種別グループＧＰ２のモードＡ、原稿設定グループＧＰ３のモードＢ〜モードＦ、宛先設定グループＧＰ４のモードＧ１〜モードＪ３の順に並べられる。このモードＡ〜モードＪ３では、配列方向の長さＬ２が表示領域５３ａの横方向の長さＳ１（図４参照）よりも長くなり、全モードの表示は不可となる。
【００７３】
図４で説明したScan to ＳＭＢジョブ５５と同様に、履歴画面６０ａの表示領域５３ａにはモードＡ〜モードＨ１までが表示可能であり、ＣＰＵ１１はそのモードＡ〜モードＨ１を表示する。モードＧ１〜モードＪ３は、宛先設定グループＧＰ４（同一グループ）に属しているが、途中のモードＨ１までが表示されそれ以降は表示されない状態となる。
【００７４】
このオーバーフローにより、履歴画面６０ａから次の履歴画面（６０ｂ、６０ｃ）への画面遷移が行われると、ＣＰＵ１１は、遷移表示グループとなる宛先設定グループＧＰ４に属しているモードＧ１〜モードＪ３をジョブ履歴テーブル３０に記憶されているグループコード３３（図３の「Ｇｐ４」）に基づいて特定し、その全モードを次の履歴画面（６０ｂ、６０ｃ）のジョブ履歴表５３に表示する。
【００７５】
図６に示した履歴画面６０ｂは、複数の宛先に係るモードを並列に表示する表示形態の一例である。履歴画面６０ｃは、複数の宛先に係るモードを直列に表示する表示形態の一例である。
【００７６】
履歴画面６０ｂでは、モードＧ１〜モードＪ３が宛先毎に段を変えて並列に表示される。本例の場合は、図示のように、モードＧ１〜モードＪ１が１段目に表示され、モードＧ２〜モードＪ２が２段目に表示され、モードＧ３〜モードＪ３が３段目に表示される。このように、宛先毎に区切って段を変えることにより、見やすくかつ分かりやすい表示となる。
【００７７】
履歴画面６０ｃでは、モードＧ１〜モードＪ３が直列に表示されると共に１列に表示しきれない場合は複数列で表示される。本例の場合は、図示のように、モードＧ１〜モードＪ２までが１列に表示され、その列に表示しきれないモードＧ３〜モードＪ３が２列目（２段目）に表示される。
【００７８】
このような並列／直列による表示形態の切り替えは、管理者またはユーザによる事前の表示設定（並列表示設定／直列表示設定）に基づいて行われる。また、ユーザによる操作でこの切り替えが行えるように構成してもよい。
【００７９】
例示した並列および直列のいずれの表示形態においても、履歴画面６０ａの表示領域５３ａに表示できないモード（本例ではモードＩ１〜モードＪ３）と同一グループに属する全てのモード（本例ではモードＧ１〜モードＪ３）は、履歴画面６０ａから遷移した履歴画面６０ｂまたは履歴画面６０ｃに表示される。
【００８０】
図７は、複合機１０が行う履歴画面の表示動作の流れを示している。
【００８１】
複合機１０の操作表示部１６を通じて履歴画面の表示操作が行われると、ＣＰＵ１１は本動作を開始し（Ｓｔａｒｔ）、履歴画面のジョブ履歴表における表示領域に、ジョブの設定を示す複数のモードが全て表示可能であるか否かを判断する（ステップＳ１０１）。この判断は、図４および図６で説明したように、全モードの配列方向の長さ（Ｌ１／Ｌ２）と表示領域の横方向の長さ（Ｓ１）を比較することにより行う。全モードの長さが表示領域の長さ以下であれば表示可能であると判定し、全モードの長さが表示領域の長さを超過すれば表示不可であると判定する。
【００８２】
表示可能である場合には（ステップＳ１０１；Ｙｅｓ）、ＣＰＵ１１は、操作表示部１６に履歴画面を表示すると共にその表示領域には全てのモードを表示する（ステップＳ１０２）。そして、通常画面に戻る操作（履歴画面に表示した戻るボタン５２の押下操作）の受け付けを監視する（ステップＳ１０３；Ｎｏ〜ステップＳ１０３のループ）。
【００８３】
この操作を受け付けると（ステップＳ１０３；Ｙｅｓ）、ＣＰＵ１１は本動作を終了し（Ｅｎｄ）、その後、操作表示部１６に通常画面を表示する。
【００８４】
履歴画面の表示領域に全てのモードを表示できないジョブ（オーバーフローが発生するジョブ）がある場合には（ステップＳ１０１；Ｎｏ）、ＣＰＵ１１は、操作表示部１６に履歴画面（履歴画面１）を表示すると共にそのジョブの設定を表示する表示領域には表示可能な分のモードを表示する（ステップＳ１０４／図４の履歴画面５０ａおよび図６の履歴画面６０ａ参照）。そして、通常画面に戻る操作と、次画面（履歴画面２）に遷移する操作（履歴画面に表示した右矢印ボタン５６ａの押下操作）の受け付けを監視する（ステップＳ１０５；Ｎｏ〜ステップＳ１０６；Ｎｏ〜ステップＳ１０４のループ）。
【００８５】
通常画面に戻る操作を受け付けると（ステップＳ１０５；Ｙｅｓ）、ＣＰＵ１１は本動作を終了し（Ｅｎｄ）、その後、操作表示部１６に通常画面を表示する。次画面への遷移操作を受け付けると（ステップＳ１０６；Ｙｅｓ）、ＣＰＵ１１は、次画面に表示するモードの中に、宛先設定グループに属するモードがあり、かつその宛先設定グループに複数宛先分のモード（宛先情報）が存在するか否かを判断する（ステップＳ１０７）。
【００８６】
複数宛先分のモードがない場合には（ステップＳ１０７；Ｎｏ）、ＣＰＵ１１は、操作表示部１６に次の履歴画面（履歴画面２）を表示すると共に、オーバーフローが発生したジョブにおいては、前の履歴画面（履歴画面１）で表示不可となったモードと同一グループ（遷移表示グループ）に属する全てのモードを表示する（ステップＳ１１１／図４の履歴画面５０ｂ）。そして、前画面（履歴画面１）に遷移する操作（履歴画面に表示した左矢印ボタン５６ｂの押下操作）と、通常画面に戻る操作の受け付けを監視する（ステップＳ１１２；Ｎｏ〜ステップＳ１１３；Ｎｏ〜ステップＳ１１２のループ）。
【００８７】
複数宛先分のモードがある場合には（ステップＳ１０７；Ｙｅｓ）、ＣＰＵ１１は、複数宛先の表示設定を確認する（ステップＳ１０８）。
【００８８】
並列表示設定である場合には（ステップＳ１０８；並列）、ＣＰＵ１１は、複数宛先分のモードを宛先毎に区切って段を変え並列に配列する（ステップＳ１０９）。そして、操作表示部１６に次の履歴画面（履歴画面２）を表示すると共に、宛先設定グループに属するモードでオーバーフローが発生したジョブにおいては、宛先設定グループに属する全モードを並列に表示し（ステップＳ１１１／図６の履歴画面６０ｂ）、ステップＳ１１２へ移行する。
【００８９】
直列表示設定である場合には（ステップＳ１０８；直列）、ＣＰＵ１１は、複数宛先分のモードを宛先毎に区切らずに直列に配列する（ステップＳ１１０）。そして、操作表示部１６に次の履歴画面（履歴画面２）を表示すると共に、宛先設定グループに属するモードでオーバーフローが発生したジョブにおいては、宛先設定グループに属する全モードを直列に表示し（ステップＳ１１１／図６の履歴画面６０ｃ）、ステップＳ１１２へ移行する。
【００９０】
前画面への遷移操作を受け付けると（ステップＳ１１２；Ｙｅｓ）、ステップＳ１０４へ戻り、ＣＰＵ１１はステップＳ１０４以降の動作を同様に行う。通常画面に戻る操作を受け付けると（ステップＳ１１３；Ｙｅｓ）、ＣＰＵ１１は本動作を終了し（Ｅｎｄ）、その後、操作表示部１６に通常画面を表示する。
【００９１】
このように、本実施の形態に係る複合機１０では、画像データの処理に係る複数のジョブの設定を履歴画面のジョブ毎に割り当てられた表示領域に表示するに当たり、履歴画面（第１画面）の表示領域にジョブの設定を示す複数のモードが全て表示できるか否かを判断する。表示しきれない場合は、最初の履歴画面から遷移した次の履歴画面（第２画面）に、最初の履歴画面に表示しきれないモードと同一グループ（遷移表示グループ）に属する全てのモードを表示する。
【００９２】
次の履歴画面ではそれらのモードが一度に確認できるようになるため、ユーザはそれらのモードによる一連の設定を確認する際に画面を遷移する操作が不要となり、同一画面上に表示されたそれらのモードから一連の設定を容易に認識できるようになる。これにより、ジョブの設定を確認する際の操作性や認識性が向上する。そして、履歴画面に表示されるジョブの履歴情報（設定）を確認する際のユーザの利便性が向上する。
【００９３】
たとえば、図１１で説明した従来の構成のように、宛先設定グループのモード、すなわち、ホスト名（モードＧ）、ユーザ名（モードＨ）、パスワード（モードＩ）、グループ（モードＪ）が複数画面に跨って表示されると、ユーザは宛先設定グループの各モードを確認する際に、最初の画面（ホスト名、ユーザ名）と次の画面（パスワード、グループ）を遷移しながら確認する必要がある。画面を遷移しなければ同一グループ（宛先設定グループ）の確認が一度に行えない煩わしさがあると共に、前の画面でのモードを覚えておきながら、次の画面への遷移後に、前の画面に関連する（ホスト名、ユーザ名）、同じグループのモードの残り（パスワード、グループ）を確認しなければならないので、確認漏れや確認ミスなどが発生し易くなる。これに対し、本実施の形態に係る構成であれば、そのような煩わしさがなくなると共に確認漏れや確認ミスなども起こらなくなる。
【００９４】
また、本実施の形態では、最初の履歴画面における表示領域に表示可能な分のモードを表示するようにしている。すなわち、グループの途中までしか収まらない場合でも最初の履歴画面にその途中までを表示し、次の履歴画面にはそのグループ全体を表示するようにしている。したがって、最初の履歴画面に途中まで表示されたモードは最初の履歴画面と次の履歴画面に重複して表示されることになる。
【００９５】
このように、最初の履歴画面における表示領域により多くのモードを表示することで、最初の履歴画面の表示領域を有効利用できる。また、ユーザは、最初の履歴画面に途中まで表示されたグループを見て、表示しきれないモードが存在していることを容易に（直感的に）把握できるようになる。これにより、最初の履歴画面に表示されていないモードの存在に気づかずに未確認となるようなことを防止できる。
【００９６】
[第２の実施の形態]
第２の実施の形態は、履歴画面におけるジョブ履歴表（ジョブの設定に係る表示形態）の変形例である。
【００９７】
図８は、第２の実施の形態に係る履歴画面７０（７０ａ、７０ｂ）を示している。
【００９８】
履歴画面７０は、ジョブ履歴表７１の左上部、右上部、左下部、右下部に実行日時の新しいジョブから順番に実行済みジョブの設定（設定内容）が配列されて表示される。本例のジョブ履歴表７１は、最大で４つのジョブまで表示可能であり（Ｎｏ.1〜Ｎｏ.4）、ジョブの履歴（設定）を一覧表示するためにジョブ毎に割り当てられた４つの表示領域７１ａ、７１ｂ、７１ｃ、７１ｄを備えている。本例の表示領域７１ａ〜７１ｄは、図に示すような矩形状（ブロック状）となっており、ジョブの設定を示す複数のモードが表示領域内に左上詰めで横二列に並べられて表示される。
【００９９】
この履歴画面７０においても、最初の履歴画面７０ａで全てのモードを表示領域内に表示できないジョブは、表示不可となったモードと同一グループ（遷移表示グループ）に属する全てのモードが次の履歴画面７０ｂに表示される。全モードが表示領域に表示可能であるか否かは、全モードの配列方向の長さ（Ｌ１）と表示領域の横方向の長さ（Ｓ２）を２倍した長さ（Ｓ２×２）を比較することで行う。全モードの長さが表示領域の２倍の長さ以下であれば表示可能となり、全モードの長さが表示領域の２倍の長さを超過すれば表示不可となる。
【０１００】
第１の実施の形態で説明したモードＡ〜モードＪが表示対象である１番目のScan to ＳＭＢジョブ５５の場合は、最初の履歴画面７０ａにおける表示領域７１ａにモードＡ〜モードＨまでが表示される。次の履歴画面７０ｂにおける表示領域７１ａには、履歴画面７０ａの表示領域７１ａに表示しきれないモードＩおよびモードＪと同一グループ（宛先設定グループ）に属する全てのモードＧ〜モードＪが表示される。
【０１０１】
これにより、本実施の形態に係る履歴画面７０においても、第１の実施の形態と同様の効果が得られる。
【０１０２】
[第３の実施の形態]
第３の実施の形態は、第１の実施の形態で説明した履歴画面における遷移表示グループの全モードを表示するときの変形例である。詳細には、最初の履歴画面に表示する複数のジョブのうち、全モードが表示不可となるジョブ以外のジョブに係る複数のモードの中から遷移表示グループに属するモードを抽出して次の履歴画面に表示する場合である。
【０１０３】
図９は、第３の実施の形態に係る履歴画面８０（８０ａ、８０ｂ）を示している。この履歴画面８０に表示される１番目のジョブは、送信種別グループＧＰ２に属するモードＡ、原稿設定グループＧＰ３に属するモードＢ〜モードＦ、および宛先設定グループＧＰ４に属するモードＧ１〜モードＪ１が設定されたScan to ＳＭＢジョブ８１である。２番目のジョブは、送信種別グループＧＰ２に属するモードＡ、原稿設定グループＧＰ３に属するモードＢとモードＦ、および宛先設定グループＧＰ４に属するモードＧ２〜モードＪ２が設定されたScan to ＳＭＢジョブ８２である。３番目のジョブは、送信種別グループＧＰ２に属するモードＡ、原稿設定グループＧＰ３に属するモードＢ、および宛先設定グループＧＰ４に属するモードＧ３〜モードＪ３が設定されたScan to ＳＭＢジョブ８３である。
【０１０４】
１番目のScan to ＳＭＢジョブ８１は、第１の実施の形態におけるScan
to ＳＭＢジョブ５５（図４参照）と同様に、最初の履歴画面８０ａにはモードＡ〜モードＨ１までが表示可能であり、それらのモードのみが表示される。２番目のScan to ＳＭＢジョブ８２は、最初の履歴画面８０ａにモードＡ〜モードＪ２が全て表示可能であり、その全モードが表示される。３番目のScan to ＳＭＢジョブ８３も、最初の履歴画面８０ａにモードＡ〜モードＪ３が全て表示可能であり、その全モードが表示される。
【０１０５】
次の履歴画面８０ｂには、１番目のScan to ＳＭＢジョブ８１は最初の履歴画面８０ａで表示不可となったモードＩ１およびモードＪ１と同じ宛先設定グループＧＰ４（遷移表示グループ）に属する全てのモードＧ１〜モードＪ１が表示される。さらに履歴画面８０ｂには、２番目のScan to ＳＭＢジョブ８２におけるモードＡ〜モードＪ２の中から、宛先設定グループＧＰ４に属するモードＧ２〜モードＪ２が抽出されて表示され、３番目のScan to ＳＭＢジョブ８３におけるモードＡ〜モードＪ３の中から、宛先設定グループＧＰ４に属するモードＧ３〜モードＪ３が抽出されて表示される。
【０１０６】
このように、本実施の形態では、履歴画面８０ｂ（第２画面）には、複数のモードの一部を履歴画面８０ａ（第１画面）に表示しきれなかったジョブについては、その一部が属するグループ（遷移表示グループ）の全てのモードが表示されると共に、履歴画面８０ａに複数のモードを全て表示できた他のジョブについても、その遷移表示グループに属する全てのモードが表示される。これにより、遷移表示グループのモードについては他のジョブのものも履歴画面８０ｂで確認できるようになるため、遷移表示グループのモードをジョブ間で比較するような場合にも画面を遷移する必要がなく、操作性や認識性が向上する。
【０１０７】
[第４の実施の形態]
第４の実施の形態は、第３の実施の形態で説明した表示形態の変形例を第２の実施の形態で説明した履歴画面に適用したものである。
【０１０８】
図１０は、第４の実施の形態に係る履歴画面９０（９０ａ、９０ｂ）を示している。本実施の形態においても、ユーザは履歴画面９０ｂに表示された１番目のジョブにおける宛先設定グループの全てのモードＧ１〜モードＪ１と共に、２番目のジョブにおける同グループのモードＧ２〜モードＪ２および３番目のジョブにおける同グループのモードＧ３〜モードＪ３も一度に確認できるようになるため、第３の実施の形態と同様の効果が得られる。
【０１０９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１０】
たとえば、実施の形態では履歴画面に表示されるScan
to ＳＭＢジョブの宛先設定グループに属するホスト名、ユーザ名、パスワードなどのモードを例に説明したが、ジョブ、グループ、モードの種類はこれに限らない。
【０１１１】
画面についても、実施の形態で説明したような実行済みジョブの履歴情報（設定内容）を確認するための履歴画面に限らない。画面に表示された複数の実行済みジョブのモードの中から所望のモードを選択して新規ジョブを設定することができる、設定画面としての機能を備えた履歴画面や、送信ジョブや受信ジョブを実行順などに並べて一覧表示すると共に、各ジョブの情報に含まれているグループに分けられた複数の要素（送信先／送信元、開始時刻、実行時間、実行結果など）をジョブ毎に割り当てられた表示領域に表示する送受信履歴画面などとしてもよい。
【０１１２】
また、実施の形態ではジョブ毎に表示される複数の要素（モード）をグループ毎に並べて表示するようにしている。すなわち、制御部（ＣＰＵ１１）は、表示部（操作表示部１６）に表示する第１画面（最初の履歴画面）の表示領域に複数の要素をグループ分けしてグループ毎に並べて表示したときに同一グループに属する要素が途中で表示不可となるジョブについては、画面の遷移操作を受け付けて第１画面から遷移する第２画面（次の履歴画面）に、その同一グループにおける先頭の要素以降の要素を表示する制御を行うようになっている。
【０１１３】
このジョブ毎に表示される複数の要素（モード）は、実施の形態で説明したようなグループ毎に並べられるものに限らない。たとえば、異なるグループの要素が所定の順番（規則）で配列されるような表示形態であってもかまわない。
【０１１４】
また、実施の形態に係る複合機１０ではタッチパネル式の操作表示部１６が操作部と表示部の機能を兼ね備えているが、この操作部と表示部とは個別に構成するようにしてもよい。複合機１０におけるプリンタ部２２は、レーザ光に代えてＬＥＤ（Light Emitting Diode）で感光体ドラムを走査露光するＬＥＤプリンタなどの他の方式のプリンタとしてもよい。
【０１１５】
また本発明は、実施の形態で説明した複合機に限らず、複写機やファクシミリ機などの他の画像処理装置にも適用可能である。
【符号の説明】
【０１１６】
１０…複合機（ＭＦＰ）
１１…ＣＰＵ
１２…バス
１３…ＲＯＭ
１４…ＲＡＭ
１５…不揮発メモリ
１６…操作表示部
１７…認証部
１８…ファクシミリ通信部
１９…ネットワーク通信部
２０…スキャナ部
２１…画像処理部
２２…プリンタ部
３０…ジョブ履歴テーブル
３１…実行日時データ
３２…モードデータ（Ａ〜Ｐ）
３３…グループコード（Ｇｐ１、Ｇｐ２、Ｇｐ３、Ｇｐ４）
３４…ユーザ名データ
５０（５０ａ、５０ｂ）…履歴画面
５１…画面名称
５２…戻るボタン
５３…ジョブ履歴表
５３ａ、５３ｂ、５３ｃ、５３ｄ、５３ｅ…表示領域
５５…Scan to ＳＭＢジョブ
５６ａ…右矢印ボタン
５６ｂ…左矢印ボタン
６０（６０ａ、６０ｂ、６０ｃ）…履歴画面
６１…Scan to ＳＭＢジョブ
７０（７０ａ、７０ｂ）…履歴画面
７１…ジョブ履歴表
７１ａ、７１ｂ、７１ｃ、７１ｄ、７１ｅ…表示領域
８０（８０ａ、８０ｂ）…履歴画面
８１…Scan to ＳＭＢジョブ
８２…Scan to ＳＭＢジョブ
８３…Scan to ＳＭＢジョブ
９０（９０ａ、９０ｂ）…履歴画面
２００（２００ａ、２００ｂ）…履歴画面
２０１…ジョブ履歴表
２０１ａ、２０１ｂ、２０１ｃ、２０１ｄ、２０１ｅ…表示領域
２０２…ジョブ
Ａ…モード（送信種別グループのモード）
Ｂ、Ｃ、Ｄ、Ｅ、Ｆ…モード（原稿設定グループのモード）
Ｇ、Ｈ、Ｉ、Ｊ…モード（宛先設定グループのモード）
Ｇ１、Ｈ１、Ｉ１、Ｊ１…モード（宛先設定グループのモード）
Ｇ２、Ｈ２、Ｉ２、Ｊ２…モード（宛先設定グループのモード）
Ｇ３、Ｈ３、Ｉ３、Ｊ３…モード（宛先設定グループのモード）
ＧＰ２…送信種別グループ
ＧＰ３…原稿設定グループ
ＧＰ４…宛先設定グループ
【図１】
2010166336.tif 000003
【図２】
2010166336.tif 000004
【図３】
2010166336.tif 000005
【図４】
2010166336.tif 000006
【図５】
2010166336.tif 000007
【図６】
2010166336.tif 000008
【図７】
2010166336.tif 000009
【図８】
2010166336.tif 000010
【図９】
2010166336.tif 000011
【図１０】
2010166336.tif 000012
【図１１】
2010166336.tif 000013